(57)【要約】【課題】  １種類のデコーダで複数種類の映像表示部を駆動できる映像表示制御装置及び当該映像表示制御装置を用いた映像表示装置を提供する。【解決手段】  映像表示制御装置（制御部）７は、入力された映像信号と同期信号とを含む複合映像信号を、水平同期信号と垂直同期信号と色信号とに分離し、水平同期信号と垂直同期信号とからドットクロック信号を生成するデコーダ２と、ドットクロック信号を変換する信号変換プログラムを書込み可能な格納エリア６Ａ、６Ｂ、６Ｃを有したタイミング信号変換部５とを備える。映像表示制御装置７は、異なる表示部４Ａ、４Ｂ、４Ｃに接続される。【選択図】  図１
2006243641.tif 000002
【特許請求の範囲】
【請求項１】
入力された映像信号と同期信号とを含む複合映像信号を、水平同期信号と垂直同期信号と色信号とに分離し、ドットクロック信号を生成するデコーダと、
前記ドットクロック信号と前記水平同期信号と前記垂直同期信号とのうち少なくともいずれか１つを変換する信号変換プログラムを書込み可能な格納エリアを有したタイミング信号変換部と、を有した映像表示制御装置。
【請求項２】
請求項１記載の映像表示制御装置であって、
前記タイミング信号変換部は前記格納エリアを複数有した、映像表示制御装置。
【請求項３】
請求項２記載の映像表示制御装置であって、
前記複数の格納エリアのうち、いずれか一つを選択するスイッチを更に有した、映像表示制御装置。
【請求項４】
請求項１乃至３のいずれか１項記載の映像表示制御装置であって、
携帯情報端末から出力された映像信号を入力する入力部を更に有した、映像表示制御装置。
【請求項５】
請求項１乃至４のいずれか１項に記載の映像表示制御装置であって、
車両の車室内に設けられた表示部を制御する、映像表示制御装置。
【請求項６】
請求項１乃至４のいずれか１項記載の映像表示制御装置と、
前記タイミング信号変換部で変換された映像信号を表示する表示部とを有した、映像表示装置。
【請求項７】
請求項２記載の映像表示制御装置と、
前記タイミング信号変換部で変換された映像信号を表示し着脱可能な表示部とを有した、映像表示装置。
【請求項８】
請求項２記載の映像表示制御装置と、
前記タイミング信号変換部で変換された映像信号を表示する複数の表示部とを有した、映像表示装置。
【発明の詳細な説明】
【技術分野】
【０００１】
本発明は、映像信号を用いてドットマトリクス表示を行う表示部に映像を映し出す映像表示装置、特に当該映像表示装置に用いられる映像表示制御装置に関するものである。
【背景技術】
【０００２】
図７は従来の映像表示装置を示すものである。図７において、従来の映像表示装置１００では、ＤＶＤ（Digital Versatile Disc）再生装置などから出力される複合映像信号をデコーダ１０１により色信号（ＲＧＢ）、水平同期信号、垂直同期信号に分離する。
【０００３】
映像表示部１０２に映像を表示するためには、映像信号に同期した水平同期信号（Ｈ）、垂直同期信号（Ｖ）、画素数に合ったドットクロック信号（Ｄ）が必要になり、さらに、これらの信号は、映像表示部１０２の種類ごとに信号のタイミングが異なる。そのため、水平同期信号および垂直同期信号はデコーダ１０１内部で映像表示部１０２専用の必要なタイミング信号を作り出し、分離した後にそのまま映像表示部１０２に入力された色信号とタイミング信号とを用いて、ドットマトリクス表示を行う表示部に映像を表示することが知られている（例えば特許文献１参照）。
【０００４】
【特許文献１】特開２００３−２０４５２９号公報
【発明の開示】
【発明が解決しようとする課題】
【０００５】
しかしながら映像表示装置を使用する際、入力映像信号に同期した水平同期信号、垂直同期信号、表示画素数に合ったドットクロック信号が必要になり、映像表示部ごとに信号のタイミングや画素数が異なる。そのため、使用する映像表示部に応じた水平同期信号、垂直同期信号、ドットクロック信号を出力する専用のデコーダを用いる必要があり、１種類のデコーダで複数種類の映像表示部を駆動させることができないという課題があった。
【０００６】
本発明は、従来の問題を解決するためになされたもので、１種類のデコーダで複数種類の映像表示部を駆動できる映像表示制御装置及び当該映像表示制御装置を用いた映像表示装置を提供することを目的とする。
【課題を解決するための手段】
【０００７】
本発明の映像表示制御装置は、入力された映像信号と同期信号とを含む複合映像信号を、水平同期信号と垂直同期信号と色信号とに分離し、ドットクロック信号を生成するデコーダと、前記ドットクロック信号と前記水平同期信号と前記垂直同期信号とのうち少なくともいずれか１つを変換する信号変換プログラムを書込み可能な格納エリアを有したタイミング信号変換部とを有している。
【０００８】
この構成により、映像表示部に応じた信号変換プログラムを書き込むことができるので、１種類の映像表示部専用デコーダで複数種類の映像表示部を使用することができることができる。
【０００９】
また、前記タイミング信号変換部には、前記格納エリアを複数設けることが可能である。
【００１０】
この構成により、異なる種類の複数の映像表示部を利用することができる。
【００１１】
更に、前記複数の格納エリアのうち、いずれか一つを選択するスイッチを、映像表示制御装置に設けることが可能である。
【００１２】
この構成により、適切な信号変換プログラムを一つ選択することが可能となる。
【００１３】
さらに、本発明に係る映像表示制御装置には、携帯情報端末から出力された映像信号を入力する入力部を設けることが可能である。
【００１４】
この構成により、簡単な構成で携帯情報端末で出力された映像を適度な大きさで視聴することができる。
【００１５】
そして、本発明に係る映像表示制御装置は、車両の車室内に設けられた表示部の制御に適用することが可能である。
【００１６】
この構成により、車両に搭載される表示部を１種類の映像表示部専用デコーダで複数種類使用することができることができる。
【００１７】
また、本発明の映像表示装置は、映像表示制御装置と、前記タイミング信号変換部で変換された映像信号を表示する表示部とを有している。
【００１８】
そして、本発明に係る他の映像表示装置は、映像表示制御装置と、前記タイミング信号変換部で変換された映像信号を表示し着脱可能な表示部とを有している。
【００１９】
この構成により、異なる複数種類の映像表示部を利用することができる。
【００２０】
さらに、本発明に係る他の映像表示装置は、映像表示制御装置と、前記タイミング信号変換部で変換された映像信号を表示する複数の表示部とを有している。
【００２１】
この構成により、異なる複数種類の映像表示部に同じ映像情報を同時に表示することができる。
【発明の効果】
【００２２】
本発明は、映像表示部と映像表示専用のデコーダとのあいだに信号変換部を設けることにより、１種類の映像表示部専用デコーダで複数種類の映像表示部を使用することができる映像表示制御装置および映像表示装置を提供することができるものである。
【発明を実施するための最良の形態】
【００２３】
（実施の形態１）
以下、本発明の第１実施形態にかかる映像表示制御装置及び映像表示装置について、図面を用いて説明する。
【００２４】
図１は本発明の実施の形態にかかる映像表示装置１のブロック図である。映像表示装置１は、制御部（映像表示制御装置）７と、液晶表示ディスプレイ等から構成された映像表示部４（４Ａ，４Ｂ，４Ｃ）とを備える。そして、制御部７は、デコーダ２と、タイミング信号変換部５とを含む。更に、タイミング信号変換部５は第一プログラム格納器６Ａと、第二プログラム格納器６Ｂと、第三プログラム格納器６Ｃとを含む。
【００２５】
図１において、デコーダ２はビデオカメラやＤＶＤ再生装置などから送られてくる同期信号と映像信号とが複合された複合映像信号を専用の映像表示部に適合させて映像を映し出すための水平同期信号Ｈ１、垂直同期信号Ｖ１、色信号ＲＧＢ、水平同期信号Ｈ１および垂直同期信号Ｖ１に同期して表示画素数に適合させるためのドットクロック信号Ｄ１に分離される。より具体的には、ビデオカメラやＤＶＤなどから送られてくる同期信号と映像信号とが複合された複合映像信号を専用の映像表示部に適合させて映像を映し出すための水平同期信号Ｈ、垂直同期信号Ｖ、色信号ＲＧＢに分離し、分離された水平同期信号Ｈ、垂直同期信号Vをデコーダ２内のタイミング信号生成機能によって専用の映像表示部４に映像を表示させるための水平同期信号Ｈ１、垂直同期信号Ｖ１、ドットクロック信号Ｄ１を生成している。タイミング信号変換部５は水平同期信号、垂直同期信号、ドットクロック信号を接続されている映像表示部４に映像を表示するための信号にタイミングを変換するものである。映像表示部４は、水平同期信号Ｈ１、垂直同期信号Ｖ１、ドットクロック信号Ｄ１に同期して同時に入力される映像を表示するものである。
【００２６】
以上のように構成された映像表示装置の動作について、図１および図２を用いて説明する。ＤＶＤ再生装置などから出力された信号であって、同期信号と映像同期信号とが複合された複合映像信号はデコーダ２により色信号ＲＧＢ、同期信号である水平同期信号Ｈ、垂直同期信号Ｖに分離され、これらの信号より水平同期信号Ｈ、垂直同期信号Ｖを映像表示部に表示するための水平同期信号Ｈ１、垂直同期信号Ｖ１、さらに表示画素数に合ったドットクロック信号Ｄ１を生成し、タイミング信号変換部５に送る。一方、色信号ＲＧＢは映像表示部４にそのまま送られる。
【００２７】
上述したように、タイミング信号変換部５には複数種類の表示装置部に映像を表示するための信号変換プログラムを書き込める格納エリアを有した第一から第三のプログラム格納器（信号変換器）６Ａ、６Ｂ、６Ｃがある。例えば、図１のようにＡ、Ｂ、Ｃのそれぞれ異なる３種類の映像表示部がある場合、タイミング信号変換部５のプログラム格納器６Ａ、６Ｂ、６Ｃにはそれぞれの映像表示部４Ａ、４Ｂ、４Ｃに対応した専用の信号変換プログラムを書き込んでおく。これにより、デコーダ２から送られてきた水平同期信号Ｈ１、水平同期信号Ｖ１、ドットクロック信号Ｄ１を３種類の水平同期信号Ｈａ、Ｈｂ、Ｈｃ、垂直同期信号Ｖａ、Ｖｂ、Ｖｃ、ドットクロック信号Ｄａ、Ｄｂ、Ｄｃに変換して、それぞれ同時に映像表示部４Ａ、４Ｂ、４Ｃに送られる。映像表示部Ａ、Ｂ、Ｃでは、これらの信号と色ＲＧＢ信号を用いて、それぞれの表示部で同時に映像を表示することができる。
【００２８】
次に、本実施の形態の映像表示装置における動作説明について、図２を用いて説明する。
【００２９】
ここでは、水平同期信号Ｈａを取り上げて説明する。まず、接続されている映像表示部４Ａ専用の映像表示用プログラムをタイミング信号変換部５に外部ＰＣなどを用いて書き込む。これにより、入力される水平同期信号Ｈ１と垂直同期信号Ｖ１により出力の水平同期信号Ｈａに変換される。この時、出力の水平同期信号Ｈａのタイミングは入力の垂直同期信号Ｖ１の立ち上がりで立ち下がり、そこから入力の水平同期信号Ｈ１の３つ目のＨの立下りで立ち上げる。その他の出力信号も同じように、入力される信号よりタイミング信号変換部に書き込まれたプログラムによりタイミングを変換して生成される。このプログラムは、接続される映像表示部ごとに異なる、すなわち、映像表示部４Ａ，４Ｂ，４Ｃでそれぞれ異なるため、各映像表示部ごとにタイミング信号変換部５の映像表示用プログラムを外部ＰＣよりユーザーが書き換えることが可能である。
【００３０】
以上のように上述の実施形態によれば、ＤＶＤ再生装置等の如き映像情報源から送られてくる同期信号と映像信号とが複合された複合映像信号を水平同期信号Ｈ、垂直同期信号Ｖ、色ＲＧＢ信号に分離し、送られてきた水平同期信号Ｈ、垂直同期信号Ｖを専用の映像表示に映し出すための水平同期信号Ｈ１、垂直同期信号Ｖ１を生成し、かつ、これらの同期信号に同期し、表示画素数に合ったドットクロック信号を生成し出力するデコーダと、送られてきた水平同期信号Ｈ１、垂直同期信号Ｖ１、ドットクロック信号Ｄ１を接続される映像表示部に映像を表示するための信号にタイミングを変換して出力することができ、また複数種類の映像表示部４に映像を表示するための信号変換プログラムを書き込める格納器６があるタイミング信号変換部５とから映像表示制御装置が構成される。更に、当該映像表示制御装置から送られてくる水平同期信号、垂直同期信号、ドットクロック信号に同期して送られてくる映像信号を表示する映像表示部４とを備えているので、１種類の映像表示部専用デコーダ２で仕様の異なる複数種類の映像表示部４を同時に表示できる。
【００３１】
また、図３に示すように、携帯電話などの表示画面の小さな情報端末機器から複合映像信号を取り込み、表示内容を大きめの映像表示部４Ａに表示させ、見やすくすることなどもでき、携帯電話用のナビゲーションサービスを利用して簡易的にカーナビゲーション装置として利用することができる。制御部７に、携帯情報端末から出力された映像信号を入力する入力ポート等からなる入力部を設けることにより、図３の様に利用することができる。
【００３２】
さらに、表示部はかならずしも３種類接続しておく必要はなく、たとえば図４に示すように、コネクタなどにより表示部を着脱可能に制御部と接続させる構成とし、スイッチ９などの切り換手段を用いて、（Ｖａ，Ｈａ，Ｄａ）、（Ｖｂ，Ｈｂ，Ｄｂ）、（Ｖｃ，Ｈｃ，Ｄｃ）の出力を切り替えられるように、言い換えると、第一から第三のプログラム格納器の各々に格納された信号変換プログラムのうち適切なものを選択可能にすれば、ユーザーの好みに応じて多種の表示部を使用することができる。
【００３３】
なお、上記実施の形態においては、タイミング信号変換部５により水平同期信号、垂直同期信号、ドットクロック信号を信号変換しているが、特にすべての信号を変換する必要がなければいずれか一つの信号を変換すればよい。
【００３４】
（実施の形態２）
以下、本発明の第２実施形態にかかる映像表示システムは、上述の第１実施形態にかかる映像表示装置を応用したものであり、以下、第１実施形態と同じものは同符号を用いて説明する。
【００３５】
図５は本発明の実施の形態にかかる映像表示装置の構成図である。
【００３６】
図に示すように、映像表示装置は、自動車の車室内において複数の表示部を前列シートに着座した搭乗者、２列目シートに着座した搭乗者、３列目シートに着座した搭乗者がそれぞれ視聴しやすいように設けられている。すなわち、表示部４Ａは、運転手や助手席に搭乗した者が視聴するために車内のフロントパネル中央上段側に搭載され、表示部４Ｂ、４Ｃは、２列目、３列目シートに着座した者が視聴するために車内のそれぞれのシートのやや前方の天井面に設けられている。この場合、２列目、３列目シート用の表示部４Ｂ、４Ｃはそれぞれ、その前列の座席のヘッドレストなどに埋設されていてもよい。
【００３７】
また、通常、フロントパネル部に他の車載用ＡＶ機器が搭載されることが多いため、本実施の形態においては、この部分に制御ユニットが配置されている。
【００３８】
図６は上述の映像表示システムにおけるブロック図を示している。
【００３９】
図６において、本実施形態の映像表示装置は、ＤＶＤ１０などのメディアを再生するメディア再生部１１が設けられており、このメディア再生部１１において再生されたメディア１０から得られた信号をデコードし、同期信号と映像信号とが複合された複合映像信号と音声信号を、それぞれ映像セレクタ１２および音声セレクタ１３に出力する。映像セレクタ１２および音声セレクタ１３はそれぞれアンテナ１４で受信し、チューナ１５で制御されたＴＶ放送などの受信波をデコードした信号や、外部映像信号入力部１６および外部音声信号入力部１７に接続されたビデオカメラなどの複合映像信号が入力される。操作者は操作部１８を操作して、メディアの再生内容を視聴するメディア再生モードまたは外部機器からの音響映像を視聴する外部機器モード、あるいはＴＶ放送などの内容を視聴するＴＶモードのいずれかを選択する。操作者が何を選択したかがメインマイコン１９で検出され、映像セレクタ１２および音声セレクタ１３に通知される。すると、選択されたモードの複合映像および音声がそれぞれ出力される音声セレクタ１３から出力された音声は、操作者の所望の音量となるように操作部１８からの指示信号と図示しないＤＳＰ（Digital Sound Processor）や電子ボリュームなどのボリューム調整手段で音量が調整されてスピーカ２０などから出力され、聴取可能となる。
【００４０】
一方映像セレクタから出力された複合映像信号を専用の映像表示部に適合させて映像を映し出すための水平同期信号Ｈ１、垂直同期信号Ｖ１、色信号ＲＧＢ、水平同期信号Ｈ１および垂直同期信号Ｖ１に同期して表示画素数に適合させるためのドットクロック信号D１に分離される。より具体的には、複合映像信号を専用の映像表示部に適合させて映像を映し出すための水平同期信号Ｈ、垂直同期信号Ｖ、色信号ＲＧＢに分離し、分離された水平同期信号Ｈ、垂直同期信号Ｖをデコーダ２内のタイミング信号生成機能によって専用の映像表示部４に映像を表示させるための水平同期信号Ｈ１、垂直同期信号Ｖ１、ドットクロック信号Ｄ１を生成している。タイミング信号変換部５には複数種類の表示装置部に映像を表示するための信号変換プログラムを書き込める格納器６（図１及び図４；６Ａ，６Ｂ，６Ｃ）を有している。４Ａ、４Ｂ、４Ｃのそれぞれ異なる３種類の映像表示部で構成されている場合、タイミング信号変換部のプログラム格納器にはそれぞれの映像表示部に対応した４Ａ、４Ｂ、４Ｃ用の信号変換プログラムを書き込んでおく。これにより、デコーダ２生成部から送られてきた水平同期信号Ｈ１、水平同期信号Ｖ１、ドットクロック信号Ｄ１を３種類の水平同期信号Ｈａ、Ｈｂ、Ｈｃ、垂直同期信号Ｖａ、Ｖｂ、Ｖｃ、ドットクロック信号Ｄａ、Ｄｂ、Ｄｃに変換して、それぞれ同時に映像表示部４に送られる。映像表示部４Ａ、４Ｂ、４Ｃでは、これらの信号と色ＲＧＢ信号を用いて、それぞれの表示部で同時に映像を表示することができる。
【００４１】
以上のように上述の実施形態によれば、所定の映像情報源から送られてくる同期信号と映像信号とが複合された複合映像信号を水平同期信号Ｈ、垂直同期信号Ｖ、色ＲＧＢ信号に分離し、送られてきた水平同期信号Ｈ、垂直同期信号Ｖを専用の映像表示に映し出すための水平同期信号Ｈ１、垂直同期信号Ｖ１の生成と同期信号に同期し、表示画素数に合ったドットクロック信号を生成し出力するデコーダ２と、送られてきた水平同期信号Ｈ１、垂直同期信号Ｖ１、ドットクロック信号Ｄ１を接続される映像表示部４に映像を表示するための信号にタイミングを変換して出力することができ、また複数種類の表示装置部に映像を表示するための信号変換プログラムを書き込める格納器６があるタイミング信号変換部５とから映像表示制御装置が構成される。更に、当該映像表示制御装置から送られてくる水平同期信号、垂直同期信号、ドットクロック信号に同期して送られてくる映像信号を表示する映像表示部４とを備えているので、１種類の映像表示部専用デコーダ２生成部で仕様の異なる複数種類の映像表示部４を同時に表示できる。
【００４２】
また、表示部はかならずしも３種類接続しておく必要はなく、コネクタなどにより表示部を着脱可能に制御部と接続させる構成とし、スイッチなどの切り換手段（図４）を用いて（Ｖａ，Ｈａ，Ｄａ）、（Ｖｂ，Ｈｂ，Ｄｂ）、（Ｖｃ，Ｈｃ，Ｄｃ）の出力を切り替えられるようにすれば、ユーザーの好みに応じて多種の表示部を使用することができる。
【００４３】
本発明の映像表示制御装置及び映像表示装置を用いれば、映像表示部として、例えば小型で安価なものから大型のもの、ドット数が少なくて画質が良くないものからドット数を多くして高画質な映像表示ができるもの、視野角による色合いが異なって見えてしまうものから視野角の違いによる色合いの差が少ないものなど多種多様な映像表示部に対して応用することができるので、コストや性能の兼合いで多種多様な表示部の中から自分の好みのものを選択して使用することができる。特に車載用の映像表示装置などにおいては、後席において映像を楽しむために大型の表示部を取り付けたり、運転手や助手席の搭乗者にとってはカーナビゲーション装置に用いる場合は特に視認性の高い表示部を取り付けたり、あるいは、個人的な趣味嗜好に応じた色合いを表現できる表示部を利用したりすることができることとなる。
【００４４】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００４５】
以上のように、本発明にかかる映像表示制御装置及び映像表示装置は、１種類のデコーダで複数種類の映像表示部に同時に映像を表示できるという効果を有し、複数種類の表示部を使用するカーナビゲーション装置やＲＳＥ(Rear Sheet Entertainment)装置等のように車両の後席で映像を視聴する際に有用である。
【図面の簡単な説明】
【００４６】
【図１】本発明の第１の実施の形態における映像表示装置のブロック図
【図２】本発明の第１の実施の形態における映像表示装置の動作を説明するタイミングチャート
【図３】本発明の第１の実施の形態における映像表示装置の構成図
【図４】本発明の第１の実施の形態における映像表示装置の構成図
【図５】本発明の第２の実施の形態にかかる映像表示装置の構成図
【図６】本発明の第２の実施の形態にかかる映像表示装置のブロック図
【図７】従来の映像表示装置のブロック図
【符号の説明】
【００４７】
１  映像表示装置
２  デコーダ
４  表示部
５  タイミング信号変換部
６  プログラム格納器
７  制御部
８  携帯情報端末
９  スイッチ手段
１０  メディア
１１  メディア再生部
１２  映像セレクタ
１３  音声セレクタ
１４  アンテナ
１５  チューナ
１６  外部映像信号入力部
１７  外部音声信号入力部
１８  操作部
１９  メインマイコン
２０  スピーカ
１００  映像表示装置
１０１  デコーダ
１０２  映像表示部
【図１】
2006243641.tif 000003
【図２】
2006243641.tif 000004
【図３】
2006243641.tif 000005
【図４】
2006243641.tif 000006
【図５】
2006243641.tif 000007
【図６】
2006243641.tif 000008
【図７】
2006243641.tif 000009